(57)【要約】【課題】  貯湯タンクの各開口部に、水を補給する給水管、発熱体、湯温センサ又は給湯口等を支持するためのフランジを固定脚の取付基部として兼用させることで、別個の固定脚用のボルト孔を設ける必要がなく、またタンク本体に固定脚を溶接や接着剤止めする必要もなく、更に貯湯タンクをコンパクトにする。【解決手段】  全体が扁平形状に成るタンク両側の側壁面４それぞれに開口部５を有する貯湯タンク２と、貯湯タンク２内に向けた発熱体７又は水を補給する給水管８等を貫通するように支持するために、開口部５に取り付けたフランジ６と、貯湯タンク２を支持するために、フランジ６に着脱自在に取り付けたプレート状部材１２から成る固定脚１１と、を備えた。【選択図】  図２
2005351569.tif 000002
【特許請求の範囲】
【請求項１】
全体が扁平形状に成るタンクの両側の側壁面（４）それぞれに、開口部（５）を有する貯湯タンク（２）と、
前記貯湯タンク（２）内に向けた発熱体（７）又は水を補給する給水管（８）等を貫通するように支持するために、前記開口部（５）に取り付けたフランジ（６）と、
前記貯湯タンク（２）を支持するために、前記フランジ（６）に着脱自在に取り付けたプレート状部材（１２）から成る固定脚（１１）と、
を備えた、ことを特徴とする貯湯式電気温水器の固定構造。
【請求項２】
前記固定脚（１１）は、略長方形状のプレート状部材（１２）の一側に、前記フランジ（６）に着脱自在に取り付けられる被係合部を形成し、
前記プレート状部材（１２）の他側に、曲折部（１４）を形成したものである、ことを特徴とする請求項１の貯湯式電気温水器の固定構造。
【請求項３】
前記固定脚（１１）は、略長方形状のプレート状部材（１２）の一側に、前記発熱体（７）又は給水管（８）等の軸部との干渉をさけるために切欠き部（１３）を形成し、更に被係合部となるボルト挿通孔（１６）を設け、
前記プレート状部材（１２）の他側に、曲折部（１４）を形成したものである、ことを特徴とする請求項１の貯湯式電気温水器の固定構造。
【請求項４】
前記固定脚（１１）の切欠き部（１３）の周囲に、前記フランジ（６）のボルト孔（１５）にボルトを止めるためのボルト挿通孔（１６）を開けたものである、ことを特徴とする請求項３の貯湯式電気温水器の固定構造。
【請求項５】
前記貯湯タンク（２）両側の側壁面（４）の上下４箇所に前記固定脚（１１）を取り付けた、ことを特徴とする請求項１，２，３又は４の貯湯式電気温水器の固定構造。
【発明の詳細な説明】
【技術分野】
【０００１】
本発明は、貯湯タンク内に発熱体を設けた貯湯式電気温水器に係り、特に貯湯タンクを床に固定し、又は貯湯タンク同士を固定するための貯湯式電気温水器の固定構造に関するものである。
【背景技術】
【０００２】
貯湯式電気温水器は、電気料金の安い夜間電力を利用して沸かした温水を貯湯タンクに貯蔵しておき、昼間のピーク時にその温水を使用するものである。タンクの形状及び配置に関する先行技術としては、特許文献１の特開２００４−１０１０９８公報に示すように、貯湯タンクについて、横方向又は縦方向の何れにも並列できるように、複数に分割してユニット化し、設置しやすいように、この貯湯タンクは例えば６４リットル程度は貯蔵できるように、全体を薄型の扁平形状に形成し、タンクの周囲に断熱材を貼り付けた構造のものが提案されている。
【特許文献１】特開２００４−１０１０９８
【０００３】
このようなユニット化した貯湯タンクを、床面に横方向に数機並列配置し、又は上下方向に数機並列積み重ねるために、各貯湯タンクの底部に接着剤、ネジ止め、又は溶接等により固定脚を取り付けている。
【発明の開示】
【発明が解決しようとする課題】
【０００４】
しかし、従来の貯湯タンクの底部に固定脚を接着剤、ネジ止め又は溶接等で取り付けたものでは、貯湯タンクの周囲に固定脚が突出するために、この貯湯タンクを横方向又は縦方向にも並列するときに広い空間が必要になるという問題を有していた。また、従来の貯湯タンク底部に固定脚を接着剤、ネジ止め又は溶接等により取り付けている作業は煩雑な作業だけでなく、その作業時間が長くなるという問題を有していた。
【０００５】
本発明は、かかる問題点を解決するために創案されたものである。すなわち、本発明の目的は、貯湯タンクの各開口部に、水を補給する給水管、発熱体、湯温センサ又は給湯口等を支持するためのフランジを固定脚の取付基部として兼用させることで、別個の固定脚用のボルト孔を設ける必要がなく、またタンク本体に固定脚を溶接や接着剤止めする必要もなく、更に貯湯タンクをコンパクトに構成することができる貯湯式電気温水器の固定構造を提供することにある。
【課題を解決するための手段】
【０００６】
本発明によれば、全体が扁平形状に成るタンクの両側の側壁面（４）それぞれに、開口部（５）を有する貯湯タンク（２）と、前記貯湯タンク（２）内に向けた発熱体（７）又は水を補給する給水管（８）等を貫通するように支持するために、前記開口部（５）に取り付けたフランジ（６）と、前記貯湯タンク（２）を支持するために、前記フランジ（６）に着脱自在に取り付けたプレート状部材（１２）から成る固定脚（１１）と、を備えた、ことを特徴とする貯湯式電気温水器の固定構造が提供される。
【０００７】
前記固定脚（１１）は、略長方形状のプレート状部材（１２）の一側に、前記フランジ（６）に着脱自在に取り付けられる被係合部を形成し、前記プレート状部材（１２）の他側に、曲折部（１４）を形成したものである。
前記固定脚（１１）は、略長方形状のプレート状部材（１２）の一側に、前記発熱体（７）又は給水管（８）等の軸部との干渉をさけるために切欠き部（１３）を形成し、更に被係合部となるボルト挿通孔（１６）を設け、前記プレート状部材（１２）の他側に、曲折部（１４）を形成したものである。
前記固定脚（１１）の切欠き部（１３）の周囲に、前記フランジ（６）のボルト孔（１５）にボルトを止めるためのボルト挿通孔（１６）を開けたものである。
【０００８】
前記貯湯タンク（２）両側の側壁面（４）の上下４箇所に前記固定脚（１１）を取り付けることが好ましい。
【発明の効果】
【０００９】
上記構成の発明では、貯湯タンク（２）両側の開口部（５）に、発熱体（７）、水を補給する給水管（８）、湯温センサ又は給湯口等を貫通させて支持するフランジ（６）に、貯湯タンク（２）を支持するためのプレート状部材（１２）から成る固定脚（１１）を着脱自在に取り付けたので、従来のように別個の固定脚用のボルト孔を設ける必要がなくなった。また、従来のように貯湯タンク（２）に固定脚を溶接や接着剤止めする必要がないので、貯湯タンク（２）をコンパクトにすることができる。
【００１０】
貯湯タンク（２）の両側２箇所に取り付けた固定脚（１１）の曲折部（１４）を床に取り付けるだけで、貯湯タンク（２）の床への固定が完了する。同様な取り付けだけで、貯湯タンク（２）を横方向に連結することができる。
【００１１】
また、貯湯タンク（２）両側の上下４箇所に前記固定脚（１１）を取り付けることにより、上下方向で固定脚（１１）の曲折部（１４）同士を固定するだけで、貯湯タンク（２）を上下方向に積み重ねることができる。
【発明を実施するための最良の形態】
【００１２】
本発明は、全体が扁平形状に成るタンク両側の側壁面それぞれに開口部を開けた貯湯タンクと、開口部に、タンク内に向けて、発熱体、水を補給する給水管、湯温センサ又は給湯口等を支持するフランジと、フランジに着脱自在に取り付けた、貯湯タンクを支持するためのプレート状部材から成る固定脚と、を備えたものである。
【実施例１】
【００１３】
以下、本発明の好ましい実施の形態を図面を参照して説明する。
図１は本発明の固定構造を構成する貯湯式電気温水器の貯湯タンクの内部構造を示す正断面図である。
本発明の貯湯式電気温水器１の貯湯タンク２は、例えば１２０リットル程度の温水を貯蔵できるように、全体を薄型の扁平形状に形成し、その周囲に断熱材３を貼り付けたものである。この貯湯タンク２は、合成樹脂製のブロー成型により製造する。例えば、ＰＰＥ（ポリフェノールエチレン）等の合成樹脂材を用いる。本発明では  建築構造体への負担を軽減するために、貯湯タンク２を軽量化してある。但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００１４】
本発明の貯湯タンク２は、その両側の側壁面４それぞれに開口部５を開け、この開口部５にフランジ６に着脱自在に取り付けたものである。このフランジ６が鍔のように、棒状の発熱体７と、給水管８と、湯温センサ、過昇防止サーモ等を貫通させて取り付けてある。本発明の貯湯式電気温水器１は、このように配置した発熱体７と、給水管８と、湯温センサ、過昇防止サーモ等を用い、電気料金の安い夜間電力を利用して湯を沸かようになっている。
【００１５】
貯湯タンク２外部には、略扁平形状の壁面９の周囲に真空断熱材等の断熱材３で包み込んだものである。この断熱材３は、１３時間放置後の温度低下が２０度未満を満足する程度の素材が必要である。なお、貯湯タンク２の内部構造は、発熱体７と給水管８等の配置は、図示例の構造に限定されない。
【００１６】
図２は本発明の固定構造を示す拡大断面図である。図３は固定脚を示すものであり、（ａ）は側面図、（ｂ）は正面図である。
貯湯タンク２両側の側壁面４の開口部５のフランジ６に、固定脚１１を着脱自在に取り付けた。本発明ではフランジ６を固定脚１１の取付基部として兼用させるものである。この固定脚１１は、略長方形状の金属板等を曲折したプレート状部材１２である。この固定脚１１の板幅は、貯湯タンク２の側面壁４の幅と同じか短くなっている。この固定脚１１を構成するプレート状部材１２の一側に、発熱体７、給水管８、湯温センサ又は給湯口等の軸部との干渉を避けるために切欠き部１３を形成したものである。またプレート状部材１２の他側に、略Ｌ字形状に曲折した曲折部１４を形成したものである。この曲折部１４は、貯湯タンク２を床置きするときの接地する部分になる。この曲折部１４にボルト止めしやすいようにボルト挿通孔１５を開けておく。また、図２に示すように、貯湯タンク２を横方向に並列させたときに、曲折部１４（Ｌ１）が互いに干渉しないように、断熱材３を含めた厚み（Ｌ２）以上に側方へ突出しない形状である。
【００１７】
このような形状の固定脚１１は、フランジ６に着脱自在にボルト止めする。例えば、図３（ａ）の側面図に示すように、固定脚１１の切欠き部１３の周囲に、フランジ６のボルト孔１５にボルトを止めるために、被係合部となる複数のボルト挿通孔１６を開け、ここにボルトを締め付ける。あるいは、フランジ６に発熱体７又は給水管８の軸部分自体を固定しているボルト（図示していない）で、固定脚自体を固定することも可能である。
【００１８】
このように本発明の固定脚１１は、貯湯タンク２の開口部５に取り付けるフランジ６に、貯湯タンク２を支持するためのプレート状部材から成る固定脚１１を着脱自在に取り付けることにより、フランジ６を固定脚１１の取付基部として兼用させるので、従来のように別個の固定脚用のボルト孔を設ける必要がなくなった。また、従来のように貯湯タンク２に固定脚を溶接や接着剤止めする必要がないので、貯湯タンク２をコンパクトにすることができる。
【００１９】
図４は本発明の固定構造を備えた貯湯タンクを横方向に並列した状態を示す正断面図である。
貯湯タンク２両側の２箇所のフランジ６に固定脚１１を取り付け、この固定脚１１の曲折部１４を床に取り付けるだけで、複数の貯湯タンク２を横方向に連結することができる。図示上では２個並列した状態を示しているが、貯湯タンク２を３機以上を並列させることができる。また、貯湯タンク２は横方向に並列した状態に限定されずに縦列して固定することも勿論可能である。
【実施例２】
【００２０】
図５は本発明の固定構造を備えた貯湯タンクを上下方向に並列した状態を示す正断面図である。
実施例１の固定構造では、固定脚１１を貯湯タンク２の下側のみに取り付けた例を示しているが、これらの固定脚１１は、フランジ６であれば取り付けることができる。そこで、実施例２では、1機の貯湯タンク２に、側壁面４の上下４箇所に固定脚１１を取り付けた。このように、４本の固定脚１１を取り付けることにより、貯湯タンク２を上下方向に積み重ねることができる。例えば、1段目の貯湯タンク２には床に取り付ける固定脚１１の他に、２段目の貯湯タンク２を固定するために、貯湯タンク２の上側のフランジ６にも固定脚１１を取り付ける。この上側の固定脚１１と、２段目の貯湯タンク２の固定脚１１同士を連結する。即ち、上下方向で連結する固定脚１１の曲折部１４同士を固定するだけで、貯湯タンク２を上下方向に連結することができる。図示上では２個積み重ねた状態を示しているので、２段目の貯湯タンク２の上側の固定脚１１は取り付けていない。しかし、３機以上を積み重ねるときは、この２段目の貯湯タンク２の上側のフランジ６にも上向きの固定脚１１を取り付ける。
【００２１】
なお、本発明は、貯湯タンク２を構成するフランジ６に固定脚１１を容易に取り付けることができる構成であれば、上述した発明の実施の形態に限定されず、本発明の要旨を逸脱しない範囲で種々変更できることは勿論である。
【産業上の利用可能性】
【００２２】
本発明の貯湯式電気温水器の固定構造は、主に全体が薄型の扁平形状の貯湯タンク２に利用することができるが、貯湯タンク２にフランジ６を取り付けた構造の貯湯タンクであれば、従来の縦型の円筒形状の貯湯タンク等にも利用することができる。
【図面の簡単な説明】
【００２３】
【図１】本発明の固定構造を構成する貯湯式電気温水器の貯湯タンクの内部構造を示す正断面図である。
【図２】本発明の固定構造を示す拡大断面図である。
【図３】固定脚を示すものであり、（ａ）は側面図、（ｂ）は正面図である。
【図４】本発明の固定構造を備えた貯湯タンクを横方向に並列した状態を示す正断面図である。
【図５】本発明の固定構造を備えた貯湯タンクを上下方向に並列した状態を示す正断面図である。
【符号の説明】
【００２４】
１  貯湯式電気温水器
２  貯湯タンク
４  タンク側壁面
５  開口部
６  フランジ
７  発熱体
８  給水管
１１  固定脚
１２  プレート状部材
１３  切欠き部
１４  曲折部
１５  ボルト孔（フランジ側）
１６  ボルト挿通孔（被係合部）
【図１】
2005351569.tif 000003
【図２】
2005351569.tif 000004
【図３】
2005351569.tif 000005
【図４】
2005351569.tif 000006
【図５】
2005351569.tif 000007